(57)【要約】【課題】簡単な構成を採用することにより、モジュール基板１に設ける外部接続端子３１  〜３４  の数及び接続配線６１  、６２  の数を必要最小限にできる無線ネットワークモジュールを提供する。【解決手段】モジュール基板１と、モジュール基板１に装着した４つのＵＡＲＴ端子４１  〜４４  及び２つのＵＳＢ端子５１  、５２  を有する短距離無線通信用ＩＣチップ２と、基板１の端縁部に設置した４つの外部接続端子３１  〜３４  と、基板１上に設けた配線切替スイッチ７とを備え、４つのＵＡＲＴ端子４１  〜４４  の２つのＵＡＲＴ端子４１  、４２  を４つの外部接続端子３１  〜３４  の２つの外部接続端子３１  、３２  に固定的に配線接続し、４つのＵＡＲＴ端子４１  〜４４  の残りの２つのＵＡＲＴ端子４３  、４４  と２つのＵＳＢ端子５１  、５２  とを配線切替スイッチ７を切替えて選択的に４つの外部接続コネクタ端子３１  〜３４  の残りの２つの外部接続端子３３  、３４  にそれぞれ配線接続する。【選択図】        図１
2005033322.tif 000002
【特許請求の範囲】
【請求項１】
少なくとも、モジュール基板と、前記モジュール基板に装着した４つのＵＡＲＴ端子及び２つのＵＳＢ端子を有する短距離無線通信用ＩＣチップと、前記モジュール基板の端縁部に設置された４つの外部接続端子と、前記モジュール基板上に設けた配線切替スイッチとを備え、前記４つのＵＡＲＴ端子の２つのＵＡＲＴ端子を前記４つの外部接続端子の２つの外部接続端子にそれぞれ固定的に配線接続し、前記４つのＵＡＲＴ端子の残りの２つのＵＡＲＴ端子と前記２つのＵＳＢ端子とを前記配線切替スイッチを切替えることにより選択的に前記４つの外部接続コネクタ端子の残りの２つの外部接続端子にそれぞれ配線接続していることをことを特徴とする無線ネットワークモジュール。
【請求項２】
前記配線切替スイッチは、ジャンパーチップ切替型のものであることを特徴とする請求項１に記載の無線ネットワークモジュール。
【請求項３】
前記４つのＵＡＲＴ端子の中の２つのＵＡＲＴ端子は、ＲＴＳ信号用及びＣＴＳ信号用の各端子であることを特徴とする請求項１に記載の無線ネットワークモジュール。
【発明の詳細な説明】
【０００１】
【発明の属する技術分野】
本発明は、無線ネットワークモジュールに係り、特に、短距離無線通信用ＩＣチップと外部接続回路とのインターフェイスにＵＳＢ（Ｕｎｉｖｅｒｓａｌ  Ｓｅｒｉａｌ  Ｂｕｓ）及びＵＡＲＴ（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）を用いる際に、モジュール基板に設けるインターフェイス用外部接続端子数を短距離無線通信用ＩＣチップに設けてあるＵＳＢ端子及びＵＡＲＴ端子の総数よりも少なくした無線ネットワークモジュールに関する。
【０００２】
【従来の技術】
近年、近接位置にある２つ以上の無線伝送機器間に、２．４ＧＨｚ帯の周波数を用いて小電力の無線信号を伝播させ、その無線信号に必要なデータや情報を載せて伝送する短距離無線通信が用いられるようになっており、その中の１つにブルートゥース（ＢｌｕｅＴｏｏｔｈ）と呼ばれる通信方式が開発されている。このような短距離無線通信方式は、それぞれの無線伝送機器が短距離無線通信用ＩＣチップを装着したモジュール基板を備えており、この短距離無線通信用ＩＣチップとモジュール基板外にある外部回路とを接続する際のインターフェイスにＵＳＢ及びＵＡＲＴが選択的に使用できるようになっている。
【０００３】
ここで、図２は、既知のこの種の短距離無線通信用の無線伝送機器に用いられるモジュール基板の一例であって、その要部構成を示す平面図である。
【０００４】
図２に示されるように、このモジュール基板１１は、一面に短距離無線通信用ＩＣ（ブルートゥースＩＣ）チップ１２が装着され、１つの基板端縁部に第１乃至第６の外部接続端子１３１  、１３２  、１３３  、１３４  、１３５  、１３６  が設けられている。短距離無線通信用ＩＣチップ１２の端部には、第１乃至第４のＵＡＲＴ端子１４１  、１４２  、１４３  、１４４  と第１及び第２のＵＳＢ端子１５１  、１５２  が設けられている。第１乃至第４のＵＡＲＴ端子１４１  、１４２  、１４３  、１４４  と第１乃至第４の外部接続端子１３１  、１３２  、１３３  、１３４  とは、それぞれ対応するもの同士がモジュール基板１１上に形成した配線１６１  、１６２  、１６３  、１６４  により接続され、同じように、第１及び第２のＵＳＢ端子１５１  、１５２  と第５及び第６の外部接続端子１３５  、１３６  とは、それぞれ対応するもの同士がモジュール基板１１上に形成した配線１６５  、１６６  により接続されている。
【０００５】
この場合、第１のＵＡＲＴ端子１４１  はＵＡＲＴ  ＲＴＳ端子であり、それに配線１６１  によって接続される第１の外部接続端子１３１  はＵＡＲＴ  ＲＴＳ端子である。第２のＵＡＲＴ端子１４２  はＵＡＲＴ  ＣＴＳ端子であり、それに配線１６２  によって接続される第２の外部接続端子１３２  はＵＡＲＴ  ＣＴＳ端子である。第３のＵＡＲＴ端子１４３  はＵＡＲＴ  ＩＮ端子であり、それに配線１６３  によって接続される第３の外部接続端子１３３  はＵＡＲＴ  ＩＮ端子である。第４のＵＡＲＴ端子１４４  はＵＡＲＴ  ＯＵＴ端子であり、それに配線１６４  によって接続される第４の外部接続端子１３４  はＵＡＲＴ  ＯＵＴ端子である。第１のＵＳＢ端子１５１  はＵＳＢ  Ｄ＋端子であり、それに配線１６５  によって接続される第５の外部接続端子１３５  はＵＳＢ  Ｄ＋端子である。また、第２のＵＳＢ端子１５２  はＵＳＢ  Ｄ−端子であり、それに配線１６６  によって接続される第６の外部接続端子１３６  はＵＳＢ  Ｄ−端子である。
【０００６】
かかる構成において、短距離無線通信用ＩＣチップ１２と外部接続回路（図示なし）とのインターフェイスをＵＡＲＴによって行う場合は、外部接続回路と第１乃至第４の外部接続端子１３１  乃至１３４  からなる４つの外部接続端子とを選択的に接続して使用すればよく、一方、短距離無線通信用ＩＣチップ１２と外部接続回路とのインターフェイスをＵＳＢによって行う場合は、外部接続回路と第５及び第６の外部接続端子１３５  、１３６  からなる２つの外部接続端子とを選択的に接続して使用すればよい。
【０００７】
【発明が解決しようとする課題】
前記既知の短距離無線通信用の無線伝送機器に用いられるモジュール基板１１は、モジュール基板１１上に装着した短距離無線通信用ＩＣチップ１２と外部接続回路とのインターフェイスをＵＡＲＴまたはＵＳＢによって行うことができるものであるが、このような場合には、モジュール基板１１に設ける外部接続端子として、ＵＡＲＴに使用される第１乃至第４の外部接続端子１３１  乃至１３４  からなる４つの外部接続端子と、それらの外部接続端子１３１  乃至１３４  とは別に、ＵＳＢに使用される第５及び第６の外部接続端子１３５  、１３６  からなる２つの外部接続端子とを設けておく、すなわち、インターフェイス用に合計６つの外部接続端子１３１  乃至１３６  を予め設けておく必要がある。ところで、かかる第１乃至第６の外部接続端子１３１  乃至１３６  は、常時、全部が使用されるものでなく、選択的に第１乃至第４の外部接続端子１３１  乃至１３４  が使用されたり、第５及び第６の外部接続端子１３５  、１３６  が使用されたりするものであるため、モジュール基板１１に第１乃至第６の外部接続端子１３１  乃至１３６  を常時設けておくことは、モジュール基板１１のスペース利用効率の点から見て必ずしも好ましいことがあるといえず、特に、近年の要望である無線伝送機器の小型化に反するだけでなく、外部接続端子数やその接続配線数の増加等による製造コストの上昇を招くことになる。
【０００８】
本発明は、このような技術的背景に鑑みてなされたもので、その目的は、簡単な構成を採用することにより、モジュール基板に設ける外部接続端子数及び接続配線数を必要最小限にすることを可能にした無線ネットワークモジュールを提供することにある。
【０００９】
【課題を解決するための手段】
前記目的を達成するために、本発明による無線ネットワークモジュールは、少なくとも、モジュール基板と、モジュール基板に装着した４つのＵＡＲＴ端子及び２つのＵＳＢ端子を有する短距離無線通信用ＩＣチップと、モジュール基板の端縁部に設置された４つの外部接続端子と、モジュール基板上に設けた配線切替スイッチとを備え、４つのＵＡＲＴ端子の２つのＵＡＲＴ端子を４つの外部接続端子の２つの外部接続端子にそれぞれ固定的に配線接続し、４つのＵＡＲＴ端子の残りの２つのＵＡＲＴ端子と２つのＵＳＢ端子とを配線切替スイッチを切替えることにより選択的に４つの外部接続コネクタ端子の残りの２つの外部接続端子にそれぞれ配線接続している手段を備える。
【００１０】
前記手段によれば、モジュール基板の端縁部に４つの外部接続端子を設置するとともにモジュール基板上に配線切替スイッチを設け、短距離無線通信用ＩＣチップに形成されている４つのＵＡＲＴ端子及び２つのＵＳＢ端子と第１乃至第４の外部接続端子とを配線接続する場合、４つのＵＡＲＴ端子の２つのＵＡＲＴ端子を４つの外部接続端子の中の２つの外部接続端子にそれぞれ固定的に配線接続し、４つのＵＡＲＴ端子の残りの２つのＵＡＲＴ端子と２つのＵＳＢ端子とが配線切替スイッチを切替えることにより選択的に４つの外部接続コネクタ端子の残りの２つの外部接続端子にそれぞれ配線接続するようにしているので、インターフェイスにＵＳＢを用いる場合、配線切替スイッチを一方側に切替えれば、２つの外部接続端子が選択的に使用され、また、インターフェイスにＵＡＲＴを用いる場合、配線切替スイッチを他方側に切替えれば、４つの外部接続端子が選択的に使用され、その結果、モジュール基板に設ける外部接続端子数及び接続配線数を必要最小限にすることができる。
【００１１】
【発明の実施の形態】
以下、本発明の実施の形態を図面を参照して説明する。
【００１２】
図１は、本発明による無線ネットワークモジュールの１つの実施の形態を示すもので、そのモジュール基板の要部構成を示す平面図であり、短距離無線通信としてブルートゥ−スを用いている例を示すものである。
【００１３】
図１に示されるように、この実施の形態に係わるモジュール基板１は、一面に短距離無線通信用ＩＣ（ブルートゥースＩＣ）チップ２が装着され、モジュール基板１の１つの端縁部に第１乃至第４の外部接続端子３１  、３２  、３３  、３４  が設けられる。短距離無線通信用ＩＣチップ２は、その端部に、第１乃至第４のＵＡＲＴ端子４１  、４２  、４３  、４４  と第１及び第２のＵＳＢ端子５１  、５２  とが設けられる。第１及び第２のＵＡＲＴ端子４１  、４２  と第１及び第２外部接続端子３１  、３２  は、それぞれ対応するもの同士がモジュール基板１上に形成した配線６１  、６２  により接続され、第３及び第４のＵＡＲＴ端子４３  、４４  と第１及び第２のＵＳＢ端子５１  、５２  は、それぞれ対応するもの同士がモジュール基板１上に形成した配線（図番なし）及び配線切替スイッチ７を介して第５及び第６の外部接続端子３５  、３６  に接続される。なお、ここに用いられている配線切替スイッチ７は、２回路２接点形式のジャンパーチップ切替型のものであって、２つの可動接点７１  、７２  と、４つの固定接点７３  、７４  、７５  、７６  と、２つのジャンパー線７７  、７８  とからなり、ジャンパー線７７  は一方の可動接点７１  と２つの固定接点７３  、７５  のいずれかとの間に選択的に接続され、可動接点７２  は他方の可動接点７２  と残りの２つの固定接点７４  、７６  のいずれかとの間に選択的に接続されるような構成になっている。
【００１４】
この場合、第１のＵＡＲＴ端子４１  はＵＡＲＴ  ＲＴＳ端子であり、それに配線６１  によって接続される第１の外部接続端子３１  はＵＡＲＴ  ＲＴＳ端子である。第２のＵＡＲＴ端子４２  はＵＡＲＴ  ＣＴＳ端子であり、それに配線６２  によって接続される第２の外部接続端子３２  はＵＡＲＴ  ＣＴＳ端子である。第３のＵＡＲＴ端子４３  はＵＡＲＴ  ＩＮ端子であり、配線（図番なし）によって固定接点７３  に接続される。第４のＵＡＲＴ端子４４  はＵＡＲＴ  ＯＵＴ端子であり、配線（図番なし）によって固定接点７４  に接続される。第１のＵＳＢ端子５１  はＵＳＢ  Ｄ＋端子であり、配線（図番なし）によって固定接点７５  に接続される。第２のＵＳＢ端子５２  はＵＳＢ  Ｄ−端子であり、配線（図番なし）によって固定接点７６  に接続される。第３の外部接続端子３３  はＵＡＲＴ  ＩＮ／ＵＳＢ  Ｄ＋兼用端子であり、配線（図番なし）によって可動接点７１  に接続される。第４の外部接続端子３４  はＵＡＲＴ  ＯＵＴ／ＵＳＢ  Ｄ−兼用端子であり、配線（図番なし）によって可動接点７２  に接続される。
【００１５】
前記構成による無線ネットワークモジュールにおいて、短距離無線通信用ＩＣチップ２と外部接続回路（図示なし）とを接続したときにインターフェイスをＵＡＲＴによって行う場合は、配線切替スイッチ７の２つのジャンパー線７７  、７８  をそれぞれ固定端子７３  、７４  側に切替接続する。このような切替接続にすると、短距離無線通信用ＩＣチップ２の第１乃至第４のＵＡＲＴ端子４１  乃至４４  は、それぞれ配線６１  、６２  、ジャンパー線７７  、７８  を通して対応する第１乃至第４の外部接続端子３１  乃至３４  に接続され、それによって短距離無線通信用ＩＣチップ２の第１乃至第４のＵＡＲＴ端子４１  乃至４４  と外部接続回路とは、第１乃至第４の外部接続端子３１  乃至３４  を介して選択的に接続され、ＵＡＲＴによるインターフェイスが可能になる。
【００１６】
一方、短距離無線通信用ＩＣチップ２と外部接続回路（図示なし）とを接続したときにインターフェイスをＵＳＢによって行う場合は、配線切替スイッチ７の２つのジャンパー線７７  、７８  をそれぞれ固定端子７５  、７６  側に切替接続する。このような切替接続にすると、短距離無線通信用ＩＣチップ２の第１及び第２のＵＳＢ端子５１  及び５２  は、それぞれジャンパー線７７  、７８  を通して対応する第３及び第４の外部接続端子３３  及び３４  に接続され、それによって短距離無線通信用ＩＣチップ２の第１及び第２のＵＡＲＴ端子５１  及び５２  と外部接続回路とは、第３及び第４の外部接続端子３３  及び３４  を介して選択的に接続され、ＵＳＢによるインターフェイスが可能になる。
【００１７】
このように、この実施の形態による無線ネットワークモジュールによれば、インターフェイスにＵＳＢを用いる場合、配線切替スイッチ７のジャンパー線７７  、７８  を一方側に切替接続すれば、第３及び第４の外部接続端子３３  及び３４  が選択的に使用され、また、インターフェイスにＵＡＲＴを用いる場合、配線切替スイッチ７のジャンパー線７７  、７８  を他方側に切替えれば、第１乃至第４の外部接続端子３１  乃至３４  が選択的に使用され、その結果、モジュール基板１に設ける外部接続端子数を必要最小限の４つにし、それに対応してモジュール基板１上に設ける接続配線数を最小限のものにすることができる。
【００１８】
なお、前記実施の形態においては、適用される短距離無線通信がブルートゥースである例を挙げて説明したが、本発明に適用可能な短距離無線通信はブルートゥースである場合に限られるものでなく、それに類似の他の短距離無線通信であっても同じように適用可能であることは勿論である。
【００１９】
また、前記実施の形態においては、第３及び第４の外部接続端子３３  及び３４  に選択的に接続可能な第１乃至第４のＵＡＲＴ端子４１  乃至４４  として、第３のＵＡＲＴ端子４３  であるＵＡＲＴ  ＩＮ端子と第４のＵＡＲＴ端子４４  であるＵＡＲＴ  ＯＵＴ端子を選択した例を挙げて説明したが、本発明はこのような選択例に限られるものでなく、第３のＵＡＲＴ端子４３  であるＵＡＲＴ  ＩＮ端子と第４のＵＡＲＴ端子４４  であるＵＡＲＴ  ＯＵＴ端子を選択する代わりに、第１のＵＡＲＴ端子４１  であるＵＡＲＴ  ＲＴＳ端子と、第２のＵＡＲＴ端子４２  であるＵＡＲＴ  ＣＴＳ端子を選択することができることは勿論である。
【００２０】
さらに、前記実施の形態においては、配線切替スイッチ７として２回路２接点形式のジャンパーチップ切替型のものを挙げて説明したが、本発明に適用可能なは配線切替スイッチ７はこのようなジャンパーチップ切替型のものに限られるものでなく、手動処理による切替が可能で、ジャンパーチップ切替型と同等の機能を有する型式のものであれば他の形式のものであってもよいことは勿論である。
【００２１】
【発明の効果】
以上のように、本発明によれば、モジュール基板の端縁部に４つの外部接続端子を設置するとともにモジュール基板上に配線切替スイッチを設け、短距離無線通信用ＩＣチップに形成されている４つのＵＡＲＴ端子及び２つのＵＳＢ端子と第１乃至第４の外部接続端子とを配線接続する場合、４つのＵＡＲＴ端子の２つのＵＡＲＴ端子を４つの外部接続端子の中の２つの外部接続端子にそれぞれ固定的に配線接続し、４つのＵＡＲＴ端子の残りの２つのＵＡＲＴ端子と２つのＵＳＢ端子とが配線切替スイッチを切替えることにより選択的に４つの外部接続コネクタ端子の残りの２つの外部接続端子にそれぞれ配線接続するような構成にしているので、インターフェイスにＵＳＢを用いる場合、配線切替スイッチを一方側に切替えれば、２つの外部接続端子が選択的に使用され、また、インターフェイスにＵＡＲＴを用いる場合、配線切替スイッチを他方側に切替えれば、４つの外部接続端子が選択的に使用され、その結果、モジュール基板に設ける外部接続端子数及び接続配線数を必要最小限にすることができ、それにより無線伝送機器を小型化することが可能になり、外部接続端子数やその接続配線数の増加等による製造コストの上昇を招くことがないという効果がある。
【図面の簡単な説明】
【図１】
本発明による無線ネットワークモジュールの１つの実施の形態を示すもので、そのモジュール基板の要部構成を示す平面図である。
【図２】既知の短距離無線通信用の無線伝送機器に用いられるモジュール基板の一例であって、その要部構成を示す平面図である。
【符号の説明】
１  モジュール基板
２  短距離無線通信用ＩＣ（ブルートゥースＩＣ）チップ
３１    第１の外部接続端子
３２    第２の外部接続端子
３３    第３の外部接続端子
３４    第４の外部接続端子
４１    第１のＵＡＲＴ端子
４２    第２のＵＡＲＴ端子
４３    第３のＵＡＲＴ端子
４４    第４のＵＡＲＴ端子
５１    第１のＵＳＢ端子
５２    第２のＵＳＢ端子
６１  、６２    配線
７  配線切替スイッチ
７１  、７２    可動接点
７３  、７４  、７５  、７６    固定接点
７７  、７８    ジャンパー線
【図１】
2005033322.tif 000003
【図２】
2005033322.tif 000004